(57)【要約】【課題】建物基礎における断熱を、防蟻性を確保した上で、簡便に達成する。【解決手段】屋根板材３１０は、屋根組ＹＨに接合する第１屋根板材３１２と、第２屋根板材３１４と、端部第１板材部３１３ａと、端部第２板材部３１３ｂと、端部第３板材部３１３ｃとを屈曲して有する。第２屋根板材３１４は、端部第２板材部３１３ｂと端部第３板材部３１３ｃにて支えられて屋根組ＹＨの上方に位置する。第２屋根板材３１４は、端部第３板材部３１３ｃが隣の屋根板材３１０の端部第２板材部３１３ｂに接合もしくは近接した状態で、隣の第１屋根板材３１２とその一端から延びる端部第１板材部３１３ａとを覆って、屋根の棟側から軒側に掛けての葺き外観を呈する。【選択図】図３
2014163138.tif 000002
【特許請求の範囲】
【請求項１】
屋根組に屋根幅方向に沿って隣り合って葺かれる屋根板材であって、
屋根の棟側から軒側に掛けて延びる長尺状で所定幅の板材であって、前記屋根組に接合する第１屋根板材と、
屋根の棟側から軒側に掛けて延びる長尺状で前記第１屋根板材より幅広の板材であって、前記屋根組の上方において、前記屋根の棟側から軒側に掛けての葺き外観を呈する第２屋根板材とを備え、
前記第１屋根板材は、
幅方向の一方端部の側で屈曲され、前記一方端部から前記屋根組の上方側に延びる端部第１板材部と、
前記幅方向の他方端部の側で屈曲され、前記他方端部から前記屋根組の上方側に延びる端部第２板材部とを有し、
前記第２屋根板材は、
幅方向の一方端部の側で前記端部第２板材部から屈曲した上で、前記幅方向の他方端部の側で屈曲して前記第２屋根板材と繋がり、前記第２屋根板材の前記他方端部から前記屋根組の側に延びる端部第３板材部を有し、
前記端部第１板材部は、前記第１屋根板材と前記端部第１板材部とを覆う隣の前記屋根板材の前記第２屋根板材の下面の近傍まで前記一方端部から延び、
前記第２屋根板材は、前記端部第３板材部の側で隣り合う前記屋根板材の前記端部第２板材部に前記端部第３板材部が接合もしくは近接した状態で、前記端部第３板材部の側で隣り合う前記屋根板材の前記第１屋根板材と前記端部第１板材部とを覆って前記葺き外観を呈し、
前記端部第３板材部は、前記端部第３板材部の側で隣り合う前記屋根板材の前記第１屋根板材の上面まで前記他方端部から延びる
屋根板材。
【請求項２】
前記端部第１板材部は、前記隣の前記屋根板材の前記第２屋根板材の下面に当接するまで前記一方端部から延びる請求項１に記載の屋根板材。
【請求項３】
前記端部第１板材部と前記端部第２板材部と前記端部第３板材部とは、前記屋根組の上面に対して垂直に延び、前記第２屋根板材は、前記屋根組の上方において、前記屋根組の上面に対して水平とされている請求項１または請求項２に記載の屋根板材。
【請求項４】
請求項３に記載の屋根板材であって、
前記第１屋根板材と前記第２屋根板材との幅の差よりも短い全長とされた第１シャフト材と、
一端側に前記第１シャフト材が入り込む環状体と、該環状体から延びたシャフト部とを有する第２シャフト材とを備え、
前記第１シャフト材は、前記端部第２板材部から前記端部第３板材部の側に延びるよう前記端部第２板材部に固定され、
前記第２シャフト材は、前記シャフト部を前記屋根組を貫通して前記第１シャフト材から延びる長さとし、前記シャフト部の先端側を雄ネジとしている
屋根板材。
【請求項５】
前記端部第１板材部と前記端部第２板材部と前記端部第３板材部とは、５０〜１５０ｍｍの高さで垂直に延び、前記端部第１板材部から前記端部第３板材部に掛けての前記第１屋根板材と前記第２屋根板材との合計幅は、４５０〜１２００ｍｍとされ、前記第２屋根板材は前記第１屋根板材より５０〜１００ｍｍ幅広とされている請求項１ないし請求項４のいずれか一項に記載の屋根板材。
【発明の詳細な説明】
【技術分野】
【０００１】
本発明は、屋根板材に関する。
【背景技術】
【０００２】
屋根板材は、屋根組に葺かれて屋根外観たる葺き外観を呈するものであり、瓦に代わる屋根板材として各種の技術が提案されている（例えば、特許文献１等参照）。
【先行技術文献】
【特許文献】
【０００３】
【特許文献１】特開２００３−１１９９６９号公報
【特許文献２】特開２００３−１１９９７０号公報
【特許文献３】特開２００５−３００３５号公報
【特許文献４】特開２０１３−２３９４１号公報
【発明の概要】
【発明が解決しようとする課題】
【０００４】
これら公報で提案された屋根板材は、屋根組に接合する屋根板材にて、屋根の棟側から軒側に掛けての葺き外観を呈するようにした上で、この屋根板材の端部側に雨樋様の部位とこれを塞ぐ構成とを備える。こうすることで、雨樋様の部位への雨水の浸入を起き難くして雨水侵入を防止できるという優れた利点を有するものの、更なる形状の単純化とこれに伴うコスト低減や、更なる施工の簡便化が要請されている。
【課題を解決するための手段】
【０００５】
上記した課題の少なくとも一部を達成するために、本発明は、以下の形態として実施することができる。
【０００６】
（１）本発明の一形態によれば、屋根板材が提供される。この屋根板材は、屋根組に屋根幅方向に沿って隣り合って葺かれる屋根板材であって、屋根の棟側から軒側に掛けて延びる長尺状で所定幅の板材であって、前記屋根組に接合する第１屋根板材と、屋根の棟側から軒側に掛けて延びる長尺状で前記第１屋根板材より幅広の板材であって、前記屋根組の上方において、前記屋根の棟側から軒側に掛けての葺き外観を呈する第２屋根板材とを備え、前記第１屋根板材は、幅方向の一方端部の側で屈曲され、前記一方端部から前記屋根組の上方側に延びる端部第１板材部と、前記幅方向の他方端部の側で屈曲され、前記他方端部から前記屋根組の上方側に延びる端部第２板材部とを有し、前記第２屋根板材は、幅方向の一方端部の側で前記端部第２板材部から屈曲した上で、前記幅方向の他方端部の側で屈曲して前記第２屋根板材と繋がり、前記第２屋根板材の前記他方端部から前記屋根組の側に延びる端部第３板材部を有し、前記端部第１板材部は、前記第１屋根板材と前記端部第１板材部とを覆う隣の前記屋根板材の前記第２屋根板材の下面の近傍まで前記一方端部から延び、前記第２屋根板材は、前記端部第３板材部の側で隣り合う前記屋根板材の前記端部第２板材部に前記端部第３板材部が接合もしくは近接した状態で、前記端部第３板材部の側で隣り合う前記屋根板材の前記第１屋根板材と前記端部第１板材部とを覆って前記葺き外観を呈し、前記端部第３板材部は、前記端部第３板材部の側で隣り合う前記屋根板材の前記第１屋根板材の上面まで前記他方端部から延びる。
【０００７】
上記形態の屋根板材は、屋根の幅方向に沿って隣り合うように葺かれ、屋根の棟側から軒側に掛けての葺き外観を呈する第２屋根板材で、隣り合う屋根板材の第１屋根板材と端部第１板材部とを覆う。しかも、この第２屋根板材は、隣り合う屋根板材の端部第２板材部に端部第３板材部が接合もしくは近接した状態で葺き外観を呈することから、上記構成の屋根板材で葺いた屋根に雨が降ると、その雨水の大部分は、屋根勾配に沿った第２屋根板材の上面を棟側から軒側に掛けて流れ落ちる。そして、上記形態の屋根板材は、第２屋根板材で覆われた第１屋根板材の側への雨水の浸入箇所を、隣り合う屋根板材の端部第２板材部と端部第３板材部との間隙に限定する。この間隙は、隣り合う屋根板材の端部第２板材部への端部第３板材部の接合もしくは近接により、狭小となるので、上記形態の屋根板材は、屋根組に接合する第１屋根板材の側への雨水浸入自体を制限する。こうして制限に加え、端部第３板材部を隣り合う屋根板材の第１屋根板材の上面まで延ばすことで、屋根組に接合する第１屋根板材の上面に沿った浸入雨水の広がりも制限する。その上で、上記形態の屋根板材は、第１屋根板材自体を、その両端の端部第１板材部と端部第２板材部とにより、第１屋根板材の幅を持った雨樋として機能させるので、上記の間隙から第１屋根板材の側に浸入した雨水は、屋根勾配に沿って第１屋根板材の上面に沿って流れ落ち、端部第１板材部を超えて屋根組の側に浸入し難くなる。これらの結果、上記形態の屋根板材によれば、雨水の浸入を防止できる。
【０００８】
上記形態の屋根板材では、既述したように雨水浸入の防止を図るに当たり、第１屋根板材の幅方向の一方端部および他方端部での端部第１板材部および端部第２板材部の屈曲、端部第２板材部からの第２屋根板材の屈曲、並びに、第２屋根板材の他方端部での端部第３板材部の屈曲を経れば良いことから、その形状が簡略化し、製造コストや施工コストの低減を図ることができる。また、上記形態の屋根板材では、隣り合う屋根板部材の繋ぎ箇所において、隣り合う屋根板材の端部第２板材部に端部第３板材部を接合もしくは近接させて、第２屋根板材にて隣り合う屋根板材の第１屋根板材を覆うよう屋根組に屋根幅方向に並べるだけで済むので、葺き作業のより一層の簡便化とこれに伴う施工コストの低減も可能である。しかも、施工後の屋根板材の回収も簡便となると共に、回収後の屋根板材をそのまま再利用できる。更には、屋根葺き施行現場での曲げ等の現場加工を必要とせず、より一層作業性が高まる。
【０００９】
（２）上記した形態の屋根板材において、前記端部第１板材部は、前記隣の前記屋根板材の前記第２屋根板材の下面の下面に当接するまで前記一方端部から延びるようにできる。こうすれば、隣り合う屋根板材の端部第２板材部と端部第３板材部との間隙から第１屋根板材の側に浸入した雨水が端部第１板材部を超えて越流しようとしても、このような越流を、第２屋根板材の下面の下面と端部第１板材部との当接により起き難くできるので、屋根組の側への雨水浸入を回避できる。
【００１０】
（３）上記した形態の屋根板材において、前記端部第１板材部と前記端部第２板材部と前記端部第３板材部とは、前記屋根組の上面に対して垂直に延び、前記第２屋根板材は、前記屋根組の上方において、前記屋根組の上面に対して水平とされるようにできる。こうすれば、より形状が簡略化するので、プレス加工を採用する場合の金型が簡略化でき、製造コストをより一層低減できる。
【００１１】
（４）上記した形態の屋根板材において、前記第１屋根板材と前記第２屋根板材との幅の差よりも短い全長とされた第１シャフト材と、一端側に前記第１シャフト材が入り込む環状体と、該環状体から延びたシャフト部とを有する第２シャフト材とを備え、前記第１シャフト材は、前記端部第２板材部から前記端部第３板材部の側に延びるよう前記端部第２板材部に固定され、前記第２シャフト材は、前記シャフト部を前記屋根組を貫通して前記第１シャフト材から延びる長さとし、前記シャフト部の先端側を雄ネジとしているようにできる。こうすれば、屋根組を貫通した第２シャフト材の雄ネジにナットを螺合することで、葺き後の屋根板材を屋根組に固定できる。そして、第２シャフト材を第１シャフト材の回りに回転させておくことで、第２シャフト材が第１屋根板材から突出しないようにできることから、屋根板材の運搬時や保管の際の作業が簡便となる。
【００１２】
（５）上記した形態の屋根板材において、前記端部第１板材部と前記端部第２板材部と前記端部第３板材部とは、５０〜１５０ｍｍの高さで垂直に延び、前記端部第１板材部から前記端部第３板材部に掛けての前記第１屋根板材と前記第２屋根板材との合計幅は、４５０〜１２００ｍｍとされ、前記第２屋根板材は前記第１屋根板材より５０〜１００ｍｍ幅広とされているようにできる。こうすれば、端部第１板材部を超えて屋根組の側に雨水が浸入することを、端部第１板材部の高さ確保により、より確実に防止できる。しかも、第１屋根板材については、第２屋根板材より幅が狭いとはいえ、ある程度の幅を確保できるので、第１屋根板材自体をその両端の端部第１板材部と端部第２板材部とで幅広の雨樋機能とできることから、端部第１板材部を超えた屋根組の側への雨水浸入をより起き難くでき、雨水浸入防止の実効性を確保できる。
【００１３】
なお、本発明は、種々の形態で実現することが可能であり、例えば、屋根板材を有する住居や屋根等の態様で実現することができる。
【図面の簡単な説明】
【００１４】
【図１】本発明の実施形態としての屋根板材３１０を用いて葺いた屋根１００の全体構成を概略的に説明するための説明図である。
【図２】複数の屋根板材３１０で構成した屋根葺材１１０Ｌにより屋根を縦葺きする様子を示す説明図である。
【図３】屋根葺きの様子を屋根板材３１０の詳細構成と合わせて示す概略斜視図である。
【図４】屋根組ＹＨへの屋根板材３１０の固定に関与する固定機構３２０の構成とその組付けの様子を示す説明図である。
【図５】隣り合う屋根板材３１０における第１屋根板材３１２と第２屋根板材３１４との関係や端部第１板材部３１３ａ等の延出の様子を示す説明図である。
【図６】屋根の右側妻側に配設する右端屋根板材３１０ＲＥの概略斜視図である。
【図７】間隙Ｒｄがある程度残った場合の対処の様子を示す説明図である。
【発明を実施するための形態】
【００１５】
以下、本発明の実施の形態について、図面に基づき説明する。図１は本発明の実施形態としての屋根板材３１０を用いて葺いた屋根１００の全体構成を概略的に説明するための説明図である。まずこの図１を用いて、全体構成を説明する。なお、図１では、屋根葺材１１０Ｌは、左右妻側の屋根板材３１０である左端屋根板材３１０ＬＥと右端屋根板材３１０ＲＥとを含む６個の屋根板材３１０で屋根を葺いている様子を示しているが、実際の屋根１００では、左端屋根板材３１０ＬＥと右端屋根板材３１０ＲＥとに加え、屋根幅に応じた複数個の屋根板材３１０にて屋根を葺いている。
【００１６】
図１に示すように、本実施例の屋根１００は、切妻式の屋根組ＹＨを備え、この屋根組ＹＨの棟両側に所定の屋根勾配で左右の屋根葺材１１０Ｌ、１１０Ｒを取り付け、屋根両側の屋根葺材１１０Ｌ、１１０Ｒを棟において棟包み１２０で覆って構成される。屋根葺材１１０Ｌ、１１０Ｒは、屋根組ＹＨにおける棟木ＭＢから軒げたＮＢに掛けて、即ち、屋根の棟側から軒側に掛けて屋根を葺き、屋根の葺き外観をなす。棟包み１２０は、屋根葺材１１０Ｌ、１１０Ｒを屋根幅に亘って覆い、屋根の棟外観をなす。屋根組ＹＨは、棟木ＭＢから軒げたＮＢに亘って垂木Ｎを掛け渡し、棟木ＭＢの並びに垂木Ｎを、もや、小屋ばり、小屋づか、妻げた等を用いて、柱で支持する。この場合、いくつかの垂木Ｎは、後述の屋根板材３１０の固定用の雄ネジを有する第２シャフト材３２２が挿入される矩形形状の貫通孔ＮＨを有する。
【００１７】
図２は複数の屋根板材３１０で構成した屋根葺材１１０Ｌにより屋根を縦葺きする様子を示す説明図、図３は屋根葺きの様子を屋根板材３１０の詳細構成と合わせて示す概略斜視図、図４は屋根組ＹＨへの屋根板材３１０の固定に関与する固定機構３２０の構成とその組付けの様子を示す説明図である。屋根葺材１１０Ｒは、屋根葺材１１０Ｌと同一であり、図１ではその葺き側が異なるが、同じ側に葺くようにしてもよい。
【００１８】
これら図面に示すように、屋根板材３１０は、長尺状で所定幅の金属製鋼板（例えば、板厚約５ｍｍ程度のチタン製、ステンレス製の鋼板）から形成された第１屋根板材３１２と、長尺状で第１屋根板材３１２より幅広に上記の金属製鋼板から形成された第２屋根板材３１４と、端部第１板材部３１３ａと、端部第２板材部３１３ｂと、端部第３板材部３１３ｃと、固定機構３２０とを有する。第１屋根板材３１２は、屋根の棟側から軒側に掛けて延びて、屋根組ＹＨに接合し、屋根組ＹＨにおいて屋根勾配θで傾斜する。第２屋根板材３１４は、後述の端部第２板材部３１３ｂと端部第３板材部３１３ｃにて支えられて屋根組ＹＨの上方に位置し、屋根の棟側から軒側に掛けて延びて、屋根組ＹＨの上方において、屋根の棟側から軒側に掛けての葺き外観を呈し、屋根組ＹＨにおいて屋根勾配θで傾斜する。
【００１９】
端部第１板材部３１３ａは、第１屋根板材３１２の幅方向の一方端部の側、即ち図における右端側でほぼ垂直に屈曲して第１屋根板材３１２に繋がり、屋根組ＹＨの上方側に延びる。端部第２板材部３１３ｂは、第１屋根板材３１２と第２屋根板材３１４とを繋ぐ板材であり、第１屋根板材３１２の幅方向の他方端部の側、即ち図における左端側でほぼ垂直に屈曲して第１屋根板材３１２に繋がり、屋根組ＹＨの上方側に延びて第２屋根板材３１４と繋がる。この場合、第２屋根板材３１４は、端部第２板材部３１３ｂの上端からほぼ垂直に屈曲して水平に延び、端部第２板材部３１３ｂと繋がる。端部第３板材部３１３ｃは、第２屋根板材３１４の幅方向の他方端部の側、即ち図における左端側でほぼ垂直に屈曲して第２屋根板材３１４と繋がり、屋根組ＹＨの側に延びる。こうした屈曲状況から、第２屋根板材３１４は、その両端で端部第２板材部３１３ｂと端部第３板材部３１３ｃに支えられ、第１屋根板材３１２と平行に屋根組ＹＨの上方に位置する。
【００２０】
固定機構３２０は、図４に詳細に示すように、第１シャフト材３２１と、第２シャフト材３２２とを備える。第１シャフト材３２１は、第１屋根板材３１２と第２屋根板材３１４との幅の差よりも短い全長とされ、端部第２板材部３１３ｂから延びる軸支シャフト３２１ａと、基部３２１ｂとを備える。この第１シャフト材３２１は、軸支シャフト３２１ａの先端面にて端部第１板材部３１３ａにスポット溶接されている。スポット溶接は、端部第２板材部３１３ｂの外表面側からなされ、その溶接痕Ｓｗは当該外表面から突出しない。こうした溶接により、第１シャフト材３２１は、端部第２板材部３１３ｂから端部第３板材部３１３ｃの側に延びて、端部第２板材部３１３ｂに固定される。基部３２１ｂは、軸支シャフト３２１ａより大径とされ、二面幅部を有する。第２シャフト材３２２は、環状体３２２ａを備え、この環状体から延びたシャフト部の先端側を雄ネジとしている。第２シャフト材３２２は、環状体３２２ａに貫通孔３２２ｂを備え、貫通孔内面を二面幅部３２２ｃとする。この二面幅部３２２ｃの間隔は、第１シャフト材３２１の軸支シャフト３２１ａの直径より大きくされているので、軸支シャフト３２１ａは、貫通孔３２２ｂに挿入可能である。二面幅部３２２ｃを含む貫通孔３２２ｂの内郭形状は、第１シャフト材３２１の基部３２１ｂの外郭形状と相似とされ、当該外郭形状より大きくされているので、基部３２１ｂは、二面幅部３２２ｃを含む貫通孔３２２ｂに嵌合可能である。環状体３２２ａは、円形プレートを、二面幅部３２２ｃを有する貫通孔３２２ｂをプレス打ち抜きに処して形成され、第２シャフト材３２２は、この環状体３２２ａに、先端に雄ネジを有する長尺シャフトを溶接することで形成される。
【００２１】
固定機構３２０の組み付けに当たっては、第２シャフト材３２２の貫通孔３２２ｂに軸支シャフト３２１ａを挿入した状態で、第１シャフト材３２１が既述したように端部第２板材部３１３ｂにスポット溶接される。この際、第１シャフト材３２１は、基部３２１ｂの二面幅部が端部第２板材部３１３ｂの上端とほぼ平行となるように、スポット溶接される。第２シャフト材３２２は、その径および環状体３２２ａの厚みを端部第２板材部３１３ｂの表面から第１シャフト材３２１の基部３２１ｂの顎までの隔たりより小さくしている。よって、第２シャフト材３２２は、端部第２板材部３１３ｂと第１シャフト材３２１の鍔部との間で移動可能であり、軸支シャフト３２１ａが貫通孔３２２ｂに位置する際には、先端に雄ネジを有するシャフト部を下方に延ばす。その一方、第２シャフト材３２２は、第１シャフト材３２１の鍔部側に移動されて基部３２１ｂが貫通孔３２２ｂに嵌合された状態では、先端に雄ネジを有するシャフト部を、基部３２１ｂの二面幅部に倣って、端部第２板材部３１３ｂの上端とほぼ平行となるように延ばす。つまり、第２シャフト材３２２は、第１シャフト材３２１の軸支シャフト３２１ａを中心に揺動可能とされている。
【００２２】
上記した固定機構３２０は、例えば、棟から軒に掛けて当ピッチで３〜４セット、端部第２板材部３１３ｂに設置され、屋根板材３１０の葺き後において、第２シャフト材３２２を、垂木Ｎの貫通孔ＮＨを貫通して雄ネジ部を屋根組ＹＨの垂木Ｎの下方に突出させる。なお、垂木Ｎの貫通孔ＮＨについては、それぞれの固定機構３２０における第２シャフト材３２２が挿入できるよう、垂木Ｎに形成されている（図１参照）。
【００２３】
次に、隣り合う屋根板材３１０の関係や端部第１板材部３１３ａ等の延出の様子について説明する。図５は隣り合う屋根板材３１０における第１屋根板材３１２と第２屋根板材３１４との関係や端部第１板材部３１３ａ等の延出の様子を示す説明図である。図示するように、第２屋根板材３１４の板材幅３１４Ｗは、第１屋根板材３１２の板材幅３１２Ｗより大きくされている。この第２屋根板材３１４は、端部第３板材部３１３ｃの側で隣り合う屋根板材３１０の端部第２板材部３１３ｂに端部第３板材部３１３ｃが接合もしくは近接した状態で、隣りの屋根板材３１０の第１屋根板材３１２と端部第１板材部３１３ａとを覆って、葺き外観を呈する。このようにして、隣り合う屋根板材３１０は、第２屋根板材３１４から延びた端部第３板材部３１３ｃと他方の屋根板材３１０の端部第２板材部３１３ｂとの間の間隙Ｒｄを、両板材の接合によりほぼゼロｍｍから、両板材の近接の程度に応じた３〜１０ｍｍ程度とする。
【００２４】
端部第１板材部３１３ａは、第１屋根板材３１２と端部第１板材部３１３ａとを覆う隣の屋根板材３１０の第２屋根板材３１４の下面の近傍まで延び、その先端にクリアランスＣを形成する。本実施形態では、このクリアランスＣが実質的にゼロ、即ち、端部第１板材部３１３ａは、隣の屋根板材３１０の第２屋根板材３１４の下面に当接するまで延びるようにした。端部第３板材部３１３ｃは、この端部第３板材部３１３ｃの側で隣り合う屋根板材３１０の第１屋根板材３１２の上面まで延びる。この端部第３板材部３１３ｃについては、第１屋根板材３１２の上面に当接するまで延ばしてもよいほか、寸法的には第１屋根板材３１２の上面から数ｍｍ（好ましくは１〜３ｍｍ）ほど隙があってもよい。一方端で端部第２板材部３１３ｂで繋がる第２屋根板材３１４は、自重により端部第２板材部３１３ｂとの屈曲箇所から撓もうとするので、端部第３板材部３１３ｃは、上記の隙が寸法的にあっても、第１屋根板材３１２の上面に当接する。
【００２５】
上記した屋根板材３１０の製品幅３１０Ｗは、第１屋根板材３１２の板材幅３１２Ｗと第２屋根板材３１４の板材幅３１４Ｗ（＞３１２Ｗ）の和であり、屋根板材３１０の長さは施工する屋根の棟から軒までの長さに合わせて製造、加工され、施工現場に搬入される。また、端部第１板材部３１３ａの突出高３１３ａＨ、端部第２板材部３１３ｂの突出高３１３ｂＨおよび端部第３板材部３１３ｃの突出高３１３ｃＨは、葺き後の屋根見栄えや第１屋根板材３１２を後述の樋としての作用させることを考慮して定めればよい。本実施形態では、屋根板材３１０の製品幅３１０Ｗが４５０〜１２００ｍｍ（より好ましくは６００〜１０００ｍｍ）であり、第１屋根板材３１２の板材幅３１２Ｗが製品幅３１０Ｗの半分に満たないことを想定して、上記の突出高を５０〜１５０ｍｍと規定した。第２屋根板材３１４の板材幅３１４Ｗについては、既述した固定機構３２０の組み込みの必要性から、第１屋根板材３１２の板材幅３１２Ｗより５０〜１００ｍｍほど幅広となるように規定した。屋根板材３１０は、図５に示すように、第１屋根板材３１２に対しての端部第１板材部３１３ａおよび端部第２板材部３１３ｂの屈曲、第２屋根板材３１４に対しての端部第２板材部３１３ｂと端部第３板材部３１３ｃの屈曲を経て既述した金属製鋼板からプレス成形可能である。そして、プレス成形に処される金属製鋼板は、その鋼板幅３１０ＰＷが、屋根板材３１０の製品幅３１０Ｗに、端部第１板材部３１３ａの突出高３１３ａＨ、端部第２板材部３１３ｂの突出高３１３ｂＨ、および端部第３板材部３１３ｃの突出高３１３ｃＨを加算した幅となり、鋼板長さは、既述したように、施工する屋根の棟から軒までの長さに棟側および軒側の余剰長さを加えたものとなる。
【００２６】
この他、屋根葺材１１０Ｌは、図２に示すように、屋根板材３１０の棟側上面に、雨仕舞板３４０を有する。この雨仕舞板３４０は、屋根組ＹＨに葺かれた屋根板材３１０の棟側開口を塞ぐと共に、葺き外観をなす第２屋根板材３１４の棟側端面から立ち上がるよう、設置される。よって、雨仕舞板３４０は、第２屋根板材３１４の上面およびこの第２屋根板材３１４で覆われた第１屋根板材３１２を屋根勾配θに逆らって移動しようとする雨水を、屋根板材３１０の棟側端面にて堰き止める。なお、雨仕舞板３４０は、第２屋根板材３１４の棟側端面にシームレス溶接されており、その接合・固定箇所で、図示しないＬ字形鋼等で補強されている。雨仕舞板３４０を、その下端側において第１屋根板材３１２と溶接してもよい。
【００２７】
本実施形態の屋根１００は、上記した複数の屋根板材３１０で後述するように屋根を縦葺きするものであるが、屋根の妻側では、その妻部における葺きの見栄えを高めるため、図１に示すように、左端屋根板材３１０ＬＥと右端屋根板材３１０ＲＥを有する。左端屋根板材３１０ＬＥは、屋根板材３１０とほぼ同形状であり、端部第３板材部３１３ｃを、屋根組ＹＨの垂木Ｎの下方側まで第２屋根板材３１４から屈曲して延ばした上で、その下端を妻側に屈曲させている。つまり、左端屋根板材３１０ＬＥは、端部第３板材部３１３ｃにて垂木Ｎを妻側で取り囲むことにより、左側妻側の見栄えの向上を図りつつ、当該妻部の側からの雨水侵入を防止している。図６は屋根の右側妻側に配設する右端屋根板材３１０ＲＥの概略斜視図である。図示するように、右端屋根板材３１０ＲＥは、屋根葺材１１０Ｌの右側に当たる妻部に配設され、端部第２板材部３１３ｂを、屋根組ＹＨの垂木Ｎの下方側まで第２屋根板材３１４から屈曲して延ばした上で、その下端を妻側に屈曲させている。つまり、端部第２板材部３１３ｂにて垂木Ｎを妻側で取り囲むことにより、右側妻側の見栄えの向上を図りつつ、当該妻部の側からの雨水侵入を防止している。
【００２８】
右端屋根板材３１０ＲＥは、屋根板材３１０と左端屋根板材３１０ＬＥとが定寸幅のものであるのに対し、不定寸法の幅とされている。つまり、屋根の妻間の屋根幅は種々多様であるので、右端屋根板材３１０ＲＥの幅は、この屋根幅と葺き個数分の屋根板材３１０と左端屋根板材３１０ＬＥの幅から、葺き対象となる屋根ごとに個別に定められる。なお、右端屋根板材３１０ＲＥは、第１屋根板材３１２を備えないことから、その有する第２屋根板材３１４の底面から下方に延びる固定ボルト３３０を備える。固定ボルト３３０は、第２屋根板材３１４の底面に接合してシームレス溶接等の手法で液密に固定され、右端屋根板材３１０ＲＥにて屋根組ＹＨが葺かれると、垂木Ｎの貫通孔ＮＨを貫通して雄ネジ部を垂木Ｎの下方に突出させる。固定ボルト３３０は、軒側、棟側およびその中央の３箇所において第２屋根板材３１４の底面に設けられている。
【００２９】
次に、本実施形態の屋根板材３１０を用いた屋根葺材１１０Ｌによる葺き作業について説明する。本実施形態の屋根１００では、その葺き作業に際して、まず、左端屋根板材３１０ＬＥを屋根組ＹＨに葺く。この際、左端屋根板材３１０ＬＥは、端部第３板材部３１３ｃにて垂木Ｎを妻側で取り囲むよう、葺かれる。こうして葺かれた左端屋根板材３１０ＬＥは、その有する固定機構３２０の第２シャフト材３２２を、図４に示すように、屋根組ＹＨの垂木Ｎを貫通して下方に延ばす。よって、葺き作業者は、保持用プレートＢｐと座金Ｗを垂木Ｎの下面側に介在させた上で、第２シャフト材３２２の雄ネジ部にナットＮｔを螺合させる。これにより、左端屋根板材３１０ＬＥは、屋根組ＹＨの垂木Ｎの側に引き寄せられて固定される。
【００３０】
次いで、屋根板材３１０を、葺き済みの左端屋根板材３１０ＬＥに重ねて葺く。この際、葺き作業者は、葺き対処となっている屋根板材３１０を、その有する端部第３板材部３１３ｃが、既に葺き済みの左端屋根板材３１０ＬＥの端部第２板材部３１３ｂに接合するよう、葺く。本実施形態の屋根１００では、葺き対処となっている屋根板材３１０の端部第３板材部３１３ｃが、既に葺き済みの左端屋根板材３１０ＬＥの端部第２板材部３１３ｂに接合するようにした。つまり、図５に示す間隙Ｒｄが実質的にゼロｍｍとなるようにした。こうして新たに葺かれた屋根板材３１０についても、固定機構３２０と、保持用プレートＢｐ、座金Ｗ、およびナットＮｔを用いて、屋根組ＹＨの垂木Ｎの側に引き寄せて固定する。新たに葺かれた屋根板材３１０は、図３に示すように、その有する第２屋根板材３１４にて、既に葺き済みで端部第３板材部３１３ｃの側で隣り合う左端屋根板材３１０ＬＥの第１屋根板材３１２と端部第１板材部３１３ａとを覆い、屋根の棟側から軒側に掛けての葺き外観を呈する。この屋根板材３１０の葺き作業を、葺き対象となる個数の屋根板材３１０について繰り返す。
【００３１】
最後に、葺き作業者は、右端屋根板材３１０ＲＥを、葺き済みの屋根板材３１０に重ねて葺く。葺き作業者は、この際にあっても、図６に示すように、右端屋根板材３１０ＲＥを、その有する端部第３板材部３１３ｃが、既に葺き済みの屋根板材３１０の端部第２板材部３１３ｂに接合するよう、葺く。そして、この右端屋根板材３１０ＲＥについては、その有する固定ボルト３３０にて垂木Ｎに固定され、その有する端部第２板材部３１３ｂにて、垂木Ｎを妻側で取り囲むよう、葺かれる。
【００３２】
屋根葺材１１０Ｒは、上記した屋根板材３１０と左端屋根板材３１０ＬＥおよび右端屋根板材３１０ＲＥを用い、屋根葺材１１０Ｌとは屋根の葺き側が異なるだけであり、構成において屋根葺材１１０Ｌと異なるものではない。屋根組ＹＨが屋根葺材１１０Ｌ、１１０Ｒで葺かれると、棟包み１２０が屋根板材３１０および右端屋根板材３１０ＲＥの棟側を塞ぐよう載置され、適宜な固定手段で屋根組ＹＨに固定され、葺き作業が全て完了する。
【００３３】
以上説明した本実施形態の屋根１００では、その葺き作業に際して、屋根板材３１０を垂木Ｎに並べて載置し、その葺き作業に際には、葺き対処となっている屋根板材３１０を、その有する端部第３板材部３１３ｃが既に葺き済みの左端屋根板材３１０ＬＥの端部第２板材部３１３ｂに接合するようにして、葺き対処となっている屋根板材３１０の第２屋根板材３１４で葺き済み屋根板材３１０の第１屋根板材３１２と端部第１板材部３１３ａとを覆うようにすればよい。よって、簡便な施工により屋根葺きを行うことができ、屋根葺きの施工作業と移設・取り外し作業を簡便化することができる。しかも、隣接する屋根板材３１０の接合にネジやなどの機械的な結合が不要であることも相まって、屋根葺きの施工作業等をより一層簡便なものとできる。また、それぞれの屋根板材３１０が載置されれば、固定機構３２０の第２シャフト材３２２が垂木Ｎを貫通して突出するので、この第２シャフト材３２２を用いて屋根板材３１０を屋根組ＹＨの表皮に引き寄せて、容易に固定できる。
【００３４】
ここで、本実施形態の屋根１００が発揮する雨仕舞いについて説明する。
屋根に降り注いだ雨は、棟包み１２０から屋根左右に流れ落ち、棟包み１２０で覆われていない領域の屋根葺材１１０Ｌ、１１０Ｒに達する。この雨は、屋根葺材１１０Ｌ、１１０Ｒに直接降り注いだ雨と一緒に屋根勾配θ（図２参照）に沿って第１屋根板材３１２の上面を軒げた方向に流れ落ちる。強風を伴わずにほぼ上方から降り注いだ雨は、屋根勾配θに逆らって第１屋根板材３１２の上面を棟側に流れることはない。よって、棟包み１２０から雨を屋根葺材１１０Ｌ、１１０Ｒに流すことで、こうした雨に対しては棟側において当然に好適な雨仕舞いを発揮する。
【００３５】
一方、台風等による強風を伴って降る雨（強風雨）は、屋根勾配θに逆らって第１屋根板材３１２の上面を棟側に流れようとすることがある。この雨は、棟包み１２０が屋根板材３１０を覆う周縁部位によりまず遮られ、棟側へは、棟包み周縁部位下端の間隙を通って浸入するに過ぎず、この浸入雨水の量は僅かしかない。ところで、こうして棟側に浸入した雨水は、屋根勾配θに沿った重力を受けることから、自ずから屋根勾配に沿って流れ落ちようとする。このため、棟包み１２０の周縁部位下端の間隙を通った浸入雨水が当該周縁部より上流側で貯め置かれるような事態は起きがたい。
【００３６】
風が極端に強い場合は、屋根勾配に逆らって流れるよう雨水に風が及ぼす力も大きくなるので、雨水は、棟包み１２０の周縁部位下端の間隙を通過後も、更に棟側に向けて流れる可能性もある。しかし、こうして棟包み１２０の周縁部位下端を越えて棟側に流れようとする浸入雨水の量は、棟包み１２０の周縁部位下端による遮蔽並びに上記の重力の作用により減少する。そして、棟包み１２０の周縁部位下端を越えた浸入雨水は、この棟包み１２０の周縁部位下端よりも上方で第２屋根板材３１４の上面から突出した図２の雨仕舞板３４０で改めて遮られる。
【００３７】
また、棟包み１２０から屋根葺材１１０Ｌ、１１０Ｒに流れ落ちた雨や、屋根葺材１１０Ｌ、１１０Ｒに直接降り注いだ雨にあっても、次のようにして好適な雨仕舞いを発揮する。
【００３８】
図２〜図３並びに図６に示すように、屋根の幅方向に沿って隣り合う屋根板材３１０は、屋根の棟側から軒側に掛けての葺き外観を呈するそれぞれの第２屋根板材３１４で、隣りの屋根板材３１０の第１屋根板材３１２と端部第１板材部３１３ａとを覆う。しかも、この第２屋根板材３１４は、隣りの屋根板材３１０の端部第２板材部３１３ｂに端部第３板材部３１３ｃが間隙Ｒｄ（図５参照）を実質的にゼロｍｍとして接合した状態で葺き外観を呈する。よって、本実施形態の屋根板材３１０で葺いた屋根１００に雨が降ると、その雨水のほぼ全ては、屋根勾配に沿った第２屋根板材３１４の上面を棟側から軒側に掛けて流れ落ちる。そして、本実施形態の屋根板材３１０は、第２屋根板材３１４で覆われた第１屋根板材３１２の側への雨水の浸入箇所を、隣り合う屋根板材３１０における端部第２板材部３１３ｂと端部第３板材部３１３ｃとの間隙Ｒｄに限定する。この間隙Ｒｄは、本実施形態の屋根板材３１０では実質的にゼロｍｍであることから、本実施形態の屋根板材３１０は、第２屋根板材３１４の上面に降り注いだ雨水のうち、端部第２板材部３１３ｂと端部第３板材部３１３ｃとの間隙Ｒｄをしみ通るだけの雨水しか、第１屋根板材３１２の側に浸入させない。この浸入雨水量は、大雨の状況であっても、ごく僅かでしかない。
【００３９】
これに加え、本実施形態の屋根板材３１０は、端部第３板材部３１３ｃを隣り合う屋根板材３１０の第１屋根板材３１２の上面に当接させているので、屋根組ＹＨに接合する第１屋根板材３１２の上面に沿った浸入雨水の広がりも制限する。その上で、本実施形態の屋根板材３１０は、第１屋根板材３１２、それ自体を、その両端の端部第１板材部３１３ａと端部第２板材部３１３ｂとにより、図５に示すように、板材幅３１２Ｗを持った雨樋として機能させる。これにより、本実施形態の屋根板材３１０は、間隙Ｒｄをしみ通って第１屋根板材３１２の側に浸入した雨水を、屋根勾配に沿って第１屋根板材３１２の上面に沿って軒側に流れ落とすので、第１屋根板材３１２の側に浸入した雨水は、第１屋根板材３１２の上面から端部第１板材部３１３ａを超えて屋根組ＹＨの側に浸入（越流）し難くなる。これらの結果、本実施形態の屋根板材３１０によれば、雨水の浸入を確実に防止でき、屋根板材３１０の下方に位置する垂木Ｎの側への防水はほぼ完全に達成される。
【００４０】
たとえ、大雨の状況が継続しても、第１屋根板材３１２の上面に達する雨水は、端部第２板材部３１３ｂと端部第３板材部３１３ｃとの間隙Ｒｄをしみ通るだけの雨水に限られることと、第１屋根板材３１２が雨樋機能と発揮することから、第１屋根板材３１２の上に貯まる雨水の嵩（高さ）はさほど高くならない。よって、端部第１板材部３１３ａの突出高３１３ａＨを上回るまで、第１屋根板材３１２の上面に達する雨水が貯まる可能性はほぼ皆無に等しく、端部第１板材部３１３ａを超えての屋根組ＹＨの側への越流も起き得ないと言える。
【００４１】
本実施形態の屋根板材３１０は、端部第１板材部３１３ａを隣の屋根板材３１０の第２屋根板材３１４の側に延ばすに当たり、図５に示すクリアランスＣが実質的にゼロになるようにして、端部第１板材部３１３ａを隣の屋根板材３１０の第２屋根板材３１４の下面に当接させた。このため、端部第１板材部３１３ａを超えて屋根組ＹＨの側に流れようとする雨水の越流自体を、端部第１板材部３１３ａと第２屋根板材３１４の下面との当接により、一層起き難くできるので、雨水浸入回避の効果が高まる。この場合、端部第１板材部３１３ａを、第２屋根板材３１４をごく僅か、例えば小数点１桁程度持ち上げるよう第１屋根板材３１２から延ばせば、端部第１板材部３１３ａと第２屋根板材３１４の下面との当接箇所には、第２屋根板材３１４の自重が掛かるので、上記の越流回避効果はより一層高まる。なお、第２屋根板材３１４が小数点１桁程度、端部第１板材部３１３ａにより持ち上がっても、屋根板材３１０の葺き作業や、葺き後の見栄え、完成度に影響を及ぼすものではない。
【００４２】
本実施形態の屋根板材３１０では、第１屋根板材３１２の板材幅３１２Ｗおよび端部第１板材部３１３ａの突出高３１３ａＨ、端部第２板材部３１３ｂの突出高３１３ｂＨを、その寸法において規定したことから、端部第１板材部３１３ａを超えての屋根組ＹＨの側への越流をより確実に回避できる。以下、この点について説明する。
【００４３】
本実施形態の屋根板材３１０は、屋根板材３１０の製品幅３１０Ｗを４５０〜１２００ｍｍ（より好ましくは６００〜１０００ｍｍ）とし、第１屋根板材３１２の板材幅３１２Ｗを製品幅３１０Ｗの半分に満たない幅とした上で、上記の端部板材の突出高を５０〜１５０ｍｍと規定した。これに加え、第２屋根板材３１４の板材幅３１４Ｗを第１屋根板材３１２の板材幅３１２Ｗより大きくし、この両板材の幅の差を５０〜１００ｍｍとした。そうすると、製品幅３１０Ｗが最小の４５０ｍｍであれば、第１屋根板材３１２は、１７５〜２００ｍｍの板材幅３１２Ｗとでき、この幅で５０〜１５０ｍｍの突出高さの端部第１板材部３１３ａと端部第２板材部３１３ｂとで雨樋機能を果たす。つまり、第１屋根板材３１２は、１７５〜２００ｍｍの幅で５０〜１５０ｍｍの樋高さの雨樋形状で雨樋機能を果たし、屋根勾配θで傾斜する。よって、仮に大雨が継続して第１屋根板材３１２に直接降り注いだとしても、第１屋根板材３１２に直接降り注いだ雨は、端部第１板材部３１３ａ或いは端部第２板材部３１３ｂから越流することなく、第１屋根板材３１２の上面に沿ってほぼ全て流れ落ちる。第１屋根板材３１２に直接降り注いだ雨であっても端部第１板材部３１３ａを越流し難いことから、第１屋根板材３１２の上面に達する雨水の間隙Ｒｄによる制限と、第１屋根板材３１２の上面に当接した端部第３板材部３１３ｃによる制限とを行う本実施形態の屋根板材３１０によれば、上記のように寸法を規定することで、端部第１板材部３１３ａを超えての屋根組ＹＨの側への越流をほぼ完全に回避できる。製品幅３１０Ｗの幅が大きくなれば、第１屋根板材３１２の板材幅３１２Ｗも広くなることから、端部第１板材部３１３ａを超えての屋根組ＹＨの側への越流の回避は、より確実となる。
【００４４】
本実施形態の屋根板材３１０は、上記した雨仕舞いに優れた効果と再利用性の向上等の種々の利点を奏するに当たり、その形状においては、第１屋根板材３１２に対しての端部第１板材部３１３ａおよび端部第２板材部３１３ｂの屈曲、第２屋根板材３１４に対しての端部第２板材部３１３ｂと端部第３板材部３１３ｃの屈曲がなされているに過ぎない。よって、本実施形態の屋根板材３１０によれば、形状の簡略化により、製造コストや施工コストを低減できる。より詳しくは、屋根板材３１０を得るに当たり、図５に示す鋼板幅３１０ＰＷで屋根板材３１０の長さの平板状の金属製鋼板を、上記した屈曲を達成するプレス成形に処するだけでよいので、金型形状の簡便化、プレス作業の工数低減等により、製造コスト的に極めて有益である。しかも、上記の各屈曲は、垂直屈曲であることから、金型形状をより簡略化でき、製造コスト低減効果が高まる。
【００４５】
本実施形態の屋根板材３１０は、屋根組ＹＨの上方において葺き外観を呈する第２屋根板材３１４の下支えを、この第２屋根板材３１４の両端の端部第２板材部３１３ｂと端部第３板材部３１３ｃとにより、自己完結的に達成する。よって、本実施形態の屋根板材３１０によれば、隣り合う屋根板材３１０同士での下支えを要しないので、その分、構造の簡略化とこれに伴う製造コストの更なる低減を図ることができる。また、第２屋根板材３１４の幅方向両側での下支えにより、葺き後の第２屋根板材３１４、延いては屋根板材３１０の安定化を図ることができる。
【００４６】
本実施形態の屋根板材３１０は、屋根組ＹＨへの固定に当たり、第１シャフト材３２１と第２シャフト材３２２とを有する固定機構３２０を用いた。この固定機構３２０は、図４に示すように、第２シャフト材３２２を屋根組ＹＨの貫通孔ＮＨを貫通させるので、屋根組ＹＨへの屋根板材３１０の固定作業を簡略化する。この他、固定機構３２０は、第２シャフト材３２２を、第１シャフト材３２１の軸支シャフト３２１ａを中心に揺動可能とした上で、第１シャフト材３２１の基部３２１ｂが第２シャフト材３２２の貫通孔３２２ｂに嵌合することで、第２シャフト材３２２のシャフト部を、端部第２板材部３１３ｂの上端とほぼ平行となるように延ばして、端部第２板材部３１３ｂの下端、即ち第１屋根板材３１２の下面から突出しないようにする。この結果、本実施形態の屋根板材３１０によれば、屋根板材３１０の運搬時や保管の際に、第２シャフト材３２２の損傷等の配慮が不要となり、作業が簡便となる。しかも、本実施形態の屋根板材３１０によれば、第２シャフト材３２２の貫通孔３２２ｂへの第１シャフト材３２１の基部３２１ｂの嵌合により、第２シャフト材３２２の姿勢を保持できるので、屋根板材３１０の運搬時や保管の際の作業はより簡便となる。
【００４７】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、或いは、上述の効果の一部又は全部を達成するために、適宜、差し替えや、組み合わせを行うことが可能である。また、その技術的特徴が本明細書中に必須なものとして説明されていなければ、適宜、削除することが可能である。
【００４８】
本実施形態では、屋根板材３１０を金属製鋼板から形成したが、図２等に示すようにその断面形状が単純であることから、強度向上が図られたエンジニアプラスチックの型成型品とすることもできる。この他、本実施形態では、隣り合う屋根板材３１０の間隙Ｒｄを、実質的にゼロｍｍとなるようにしたが、第１屋根板材３１２が既述したように端部第１板材部３１３ａと端部第２板材部３１３ｂとで雨樋機能を果たすので、間隙Ｒｄについては、これを３〜１０ｍｍ程度としてもよい。この程度の間隙Ｒｄであっても、端部第３板材部３１３ｃの当接による第１屋根板材３１２への雨水浸入は抑制されることから、端部第１板材部３１３ａを超えての屋根組ＹＨの側への越流が起き難いことに変わりはなく、特段の支障は無い。また、上記した範囲で間隙Ｒｄが残っても良いことから、葺き作業も簡便となる。図７は間隙Ｒｄがある程度残った場合の対処の様子を示す説明図である。図示するように、３〜１０ｍｍ程度の範囲で広がった間隙Ｒｄに、棟から軒に掛けての長さを備え断面が略Ｔ字状の笠状体３５０を設置してもよい。こうすれば、３〜１０ｍｍ程度の範囲で広がった間隙Ｒｄへの雨水の浸入を笠状体３５０により抑制できるので、間隙Ｒｄを通過して第１屋根板材３１２に達する雨水についても、これを抑制できる。この場合、笠状体３５０は、間隙Ｒｄに挿入載置されるだけでもよく、板状またはＵ字状のゴムを下端に設置して、間隙Ｒｄに挿入するようにしてもよい。こうすれば、笠状体３５０のズレを抑制できる。
【００４９】
本実施形態では、固定機構３２０を構成する第１シャフト材３２１を、基部３２１ｂを有するものとしたが、軸支シャフト３２１ａのみを有するようにしてもよい。この場合には、第２シャフト材３２２にあっても、環状体３２２ａに円形の貫通孔３２２ｂを設ければよい。そして、屋根板材３１０の運搬時や保管の際には、端部第２板材部３１３ｂの表面に第２シャフト材３２２が接するように回転した上で、その第２シャフト材３２２をテープにて端部第２板材部３１３ｂに仮固定したり、断面楔状のゴム製固定具にて、第２シャフト材３２２を回転しないよう仮固定すればよい。
【００５０】
本実施形態では、切妻式の屋根１００に適用したが、片流れ屋根、差しかけ屋根、のこぎり屋根等の種々の屋根構造に適用できる。
【符号の説明】
【００５１】
１００…屋根
１１０Ｌ…屋根葺材
１１０Ｒ…屋根葺材
１２０…棟包み
３１０…屋根板材
３１０Ｗ…製品幅
３１０ＬＥ…左端屋根板材
３１０ＲＥ…右端屋根板材
３１０ＰＷ…鋼板幅
３１２…第１屋根板材
３１２Ｗ…板材幅
３１３ａ…端部第１板材部
３１３ｂ…端部第２板材部
３１３ｃ…端部第３板材部
３１３ａＨ…突出高
３１３ｂＨ…突出高
３１３ｃＨ…突出高
３１４…第２屋根板材
３１４Ｗ…板材幅
３２０…固定機構
３２１…第１シャフト材
３２１ａ…軸支シャフト
３２１ｂ…基部
３２２…第２シャフト材
３２２ａ…環状体
３２２ｂ…貫通孔
３２２ｃ…二面幅部
３３０…固定ボルト
３４０…雨仕舞板
３５０…笠状体
Ｎ…垂木
Ｗ…座金
ＭＢ…棟木
ＮＢ…軒げた
ＹＨ…屋根組
ＮＨ…貫通孔
Ｒｄ…間隙
Ｂｐ…保持用プレート
Ｎｔ…ナット
Ｓｗ…溶接痕
【図１】
2014163138.tif 000003
【図２】
2014163138.tif 000004
【図３】
2014163138.tif 000005
【図４】
2014163138.tif 000006
【図５】
2014163138.tif 000007
【図６】
2014163138.tif 000008
【図７】
2014163138.tif 000009